(57)【要約】【課題】映像が特殊再生される際に表示装置に表示される映像の滑らかさ及び精彩さを、行われる特殊再生に適した滑らかさ及び精彩さにし、独自のデータ形式により映像が記録されることに起因する不具合を避ける。【解決手段】映像記録再生装置においては、代表画像生成部が、映像が記録される際に、記録される映像ストリームに含まれる複数の符号化圧縮単位に含まれるユーザー独自領域にそれぞれ記録される複数の代表画像を生成する。複数の代表画像は、同じファイルサイズを有し、静止画圧縮方式により符号化されている。また、代表画像選択部が、映像が特殊再生される際に、複数の代表画像から代表画像を選択し、代表画像を復号し、復号された代表画像を表示装置に表示させる。【選択図】図１
2020198560.tif 000002
【特許請求の範囲】
【請求項１】
映像が記録される際に、記録される映像ストリームに含まれる複数の符号化圧縮単位に含まれるユーザー独自領域にそれぞれ記録され、同じファイルサイズを有し、静止画圧縮方式により符号化された複数の代表画像を生成する代表画像生成部と、
前記映像が特殊再生される際に、前記複数の代表画像から代表画像を選択し、前記代表画像を復号して復号された代表画像を生成し、前記復号された代表画像を表示装置に表示させる代表画像選択部と、
を備える映像記録再生装置。
【請求項２】
前記代表画像生成部は、複数の付加前の代表画像を生成し、前記複数の付加前の代表画像に含まれる少なくともひとつの付加前の代表画像にダミーデータを付加することにより、前記複数の代表画像を生成する
請求項１の映像記録再生装置。
【請求項３】
前記複数の代表画像は、第１の複数の代表画像であり、
前記第１の複数の代表画像の各々は、第１のファイルサイズを有し、
前記代表画像生成部は、前記映像が記録される際に、前記複数の符号化圧縮単位に含まれるユーザー独自領域にそれぞれ記録され、同じファイルサイズを有し、前記静止画圧縮方式により符号化された第２の複数の代表画像をさらに生成し、
前記第２の複数の代表画像の各々は、前記第１のファイルサイズより小さい第２のファイルサイズを有し、
前記代表画像選択部は、前記映像が設定された特殊再生速度より遅い特殊再生速度で再生される場合は、前記第１の複数の代表画像から前記代表画像を選択し、前記映像が前記設定された特殊再生速度より速い特殊再生速度で再生される場合は、前記第２の複数の代表画像から前記代表画像を選択する
請求項１又は２の映像記録再生装置。
【請求項４】
a) 映像が記録される際に、記録される映像ストリームに含まれる複数の符号化圧縮単位に含まれるユーザー独自領域にそれぞれ記録され、同じファイルサイズを有し、静止画圧縮方式により符号化された複数の代表画像を生成する工程と、
b) 前記映像が特殊再生される際に、前記複数の代表画像から代表画像を選択し、前記代表画像を復号して復号された代表画像を生成し、前記復号された代表画像を表示装置に表示させる工程と、
を備える映像記録再生方法。
【請求項５】
前記工程a)は、複数の付加前の代表画像を生成し、前記複数の付加前の代表画像に含まれる少なくともひとつの付加前の代表画像にダミーデータを付加することにより、前記複数の代表画像を生成する
請求項４の映像記録再生方法。
【請求項６】
前記複数の代表画像は、第１の複数の代表画像であり、
前記第１の複数の代表画像の各々は、第１のファイルサイズを有し、
前記工程a)は、前記映像が記録される際に、前記複数の符号化圧縮単位に含まれるユーザー独自領域にそれぞれ記録され、同じファイルサイズを有し、前記静止画圧縮方式により符号化された第２の複数の代表画像をさらに生成し、
前記第２の複数の代表画像の各々は、前記第１のファイルサイズより小さい第２のファイルサイズを有し、
前記工程b)は、前記映像が設定された特殊再生速度より遅い特殊再生速度で再生される場合は、前記第１の複数の代表画像から前記代表画像を選択し、前記映像が前記設定された特殊再生速度より速い特殊再生速度で再生される場合は、前記第２の複数の代表画像から前記代表画像を選択する
請求項４又は５の映像記録再生方法。
【発明の詳細な説明】
【技術分野】
【０００１】
本発明は、映像記録再生装置及び映像記録再生方法に関する。
【背景技術】
【０００２】
放送された映像を記録し、記録した映像を再生する映像記録再生装置が普及している。映像記録再生装置は、多くの場合は、映像を再生する際に、早送り、早戻し、スロー再生等の特殊再生を行うことができる。そして、映像記録再生装置には、特殊再生を滑らかに行うことが求められる。しかし、記録される映像が高い解像度を有する場合は、特殊再生を滑らかに行うことが困難になる。
【０００３】
一方で、今後は、既に標準化されているハイビジョン放送に代えて、４Ｋ放送及び８Ｋ放送が標準化される予定である。ハイビジョン放送は、２Ｋ放送とも呼ばれる。
【０００４】
４Ｋ放送及び８Ｋ放送により放送される映像は、２Ｋ放送により放送される映像の解像度より高い解像度を有する。また、４Ｋ放送及び８Ｋ放送により放送される映像は、２Ｋ放送により放送される映像を符号化するために用いられる映像圧縮方式の圧縮効率より高い圧縮効率を有するＨＥＶＣ（High Efficiency Video Coding）により符号化されている。
【０００５】
このように高い解像度を有しＨＥＶＣにより符号化された映像を記録する映像記録再生装置においては、特殊再生を滑らかに行うことがさらに困難になる。
【０００６】
記録される映像が高い解像度を有する場合でも特殊再生を滑らかに行うために、高い解像度を有する映像ストリーム、及び低い解像度を有する映像ストリームの両方を記録し、特殊再生を行う場合には低い解像度を有する映像ストリームから表示装置に表示される映像を生成することが提案されている。高い解像度を有する映像ストリーム、及び低い解像度を有する映像ストリームには、多くの場合は、可変長符号圧縮が行われる。
【０００７】
例えば、特許文献１に記載された技術においては、高解像記録ストリーム及び低解像記録ストリームが記録される（段落００３５）。また、特殊再生命令が与えられると、低解像データストリームのみが読み出される（段落００４６）。読み出された低解像記録ストリームには、可変長復号化処理が行われる（段落００４７）。これにより、多くの枚数の低解像画像データを読み出し高速再生映像を出力することができる（段落００６９）。
【先行技術文献】
【特許文献】
【０００８】
【特許文献１】特開２００３−１２５３５３号公報
【発明の概要】
【発明が解決しようとする課題】
【０００９】
しかし、従来の技術においては、映像が特殊再生される際に、可変長符号圧縮が行われた映像ストリームから表示装置に表示される映像が生成される。このため、表示装置に表示される映像フレームを生成するために必要なデータの量が大きく変動し、当該データを読み出すのに要する読み出し時間を一定にすることができない。このため、映像が特殊再生される際に、表示装置に表示される映像フレームが更新される間隔を一定にすることができず、表示装置に表示される映像の視認性が低下する。
【００１０】
また、従来の技術においては、映像が特殊再生される際に、表示装置に表示される映像の精彩さが、低い解像度を有する映像ストリームの解像度により制限される。このため、映像が特殊再生される際に、表示装置に表示される映像の精彩さを、行われる特殊再生に適した精彩さにすることができない。例えば、映像がスロー再生される際に、低い解像度を有する映像しか表示装置に表示することができず、表示装置に表示される映像の精彩さが低下し、映像シーンを認識することが困難になる。
【００１１】
また、従来の技術においては、高い解像度を有する映像ストリーム、及び低い解像度を有する映像ストリームが記録される。このため、独自のデータ形式により映像が記録されることに起因する不具合が生じる。例えば、Ｂｌｕ−ｒａｙ（登録商標）規格等に準拠する汎用のディスクフォーマットを有するディスクに映像がダビングされた場合に、ダビングされた映像を再生することができなくなる場合がある。
【００１２】
本発明は、これらの問題に鑑みてなされた。本発明が解決しようとする課題は、映像が特殊再生される際に表示装置に表示される映像の滑らかさ及び精彩さを、行われる特殊再生に適した滑らかさ及び精彩さにすることができ、独自のデータ形式により映像が記録されることに起因する不具合を避けることができる映像記録再生装置及び映像記録再生方法を提供することである。
【課題を解決するための手段】
【００１３】
本発明は、映像記録再生装置に関する。
【００１４】
映像記録再生装置においては、代表画像生成部が、映像が記録される際に、記録される映像ストリームに含まれる複数の符号化圧縮単位に含まれるユーザー独自領域にそれぞれ記録される複数の代表画像を生成する。複数の代表画像は、同じファイルサイズを有し、静止画圧縮方式により符号化されている。また、代表画像選択部が、映像が特殊再生される際に、複数の代表画像から代表画像を選択し、代表画像を復号し、復号された代表画像を表示装置に表示させる。
【００１５】
本発明は、映像記録再生方法にも向けられる。
【発明の効果】
【００１６】
本発明によれば、映像が特殊再生される際に、同じファイルサイズを有する代表画像から表示装置に表示される映像フレームが生成される。このため、表示装置に表示される映像フレームが更新される間隔を一定にすることができる。
【００１７】
また、本発明によれば、映像が特殊再生される際に、静止画圧縮方式により符号化された代表画像から表示装置に表示される映像フレームが生成される。このため、表示装置に表示される映像フレームを高速に更新することができる。
【００１８】
また、本発明によれば、映像が特殊再生される際に表示装置に表示される映像の精彩さが、代表画像の解像度により決まる。このため、映像が特殊再生される際に表示装置に表示される映像の精彩さを、行われる特殊再生に適した精彩さにすることができる。
【００１９】
これらにより、映像が特殊再生される際に表示装置に表示される映像の滑らかさ及び精彩さを、行われる特殊再生に適した滑らかさ及び精彩さにすることができる。
【００２０】
また、本発明によれば、映像が記録される際に、映像ストリームに含まれるユーザー独自領域に代表画像が記録される。このため、独自のデータ形式により映像が記録されることに起因する不具合を避けることができる。
【００２１】
この発明の目的、特徴、局面、および利点は、以下の詳細な説明と添付図面とによって、より明白となる。
【図面の簡単な説明】
【００２２】
【図１】実施の形態１の映像記録再生装置により記録及び再生される映像ストリームのデータ構造を図示する図である。
【図２】実施の形態１の映像記録再生装置により生成される付加前の代表画像及び代表画像を図示する図である。
【図３】２Ｋ放送、４Ｋ放送及び８Ｋ放送により放送される映像を図示する図である。
【図４】実施の形態１の映像記録再生装置を備える映像記録再生システムを図示するブロック図である。
【図５】実施の形態１の映像記録再生装置によりストリーム情報及び再生制御情報が書き込まれた記録媒体の論理ファイル構造を図示する図である。
【図６】実施の形態１の映像記録再生装置により記録媒体に書き込まれる各ストリーム情報ファイルのデータ構造を図示する図である。
【図７】実施の形態１の映像記録再生装置により記録媒体に書き込まれる再生制御情報ファイルのシンタックスを図示する図である。
【図８】実施の形態１の映像記録再生装置により生成される映像ストリームのデータ構造を図示する図である。
【図９】実施の形態１の映像再生記録装置により生成される映像ストリームに含まれるＳＥＩのデータ構造を図示する図である。
【図１０】実施の形態１の映像記録再生装置により参照される特殊再生速度テーブルのデータ構造を図示する図である。
【図１１】Ｉピクチャから映像フレームが直接的に生成される場合、並びに実施の形態１の映像記録装置により高品位代表画像、中品位代表画像及び低品位代表画像から映像フレームが生成される場合について、Ｉピクチャ又は代表画像が表示される時間間隔を説明する図である。
【図１２】実施の形態１の映像記録再生装置が映像を記録する際の代表画像を生成する手順を図示するフローチャートである。
【図１３】実施の形態１の映像記録再生装置が映像を特殊再生する際の代表画像を選択する手順を図示するフローチャートである。
【発明を実施するための形態】
【００２３】
１  実施の形態１
１．１  概略
実施の形態１の映像記録再生装置は、放送された映像を記録媒体に記録し、記録媒体に記録された映像を再生する。
【００２４】
図１は、実施の形態１の映像記録再生装置により記録及び再生される映像ストリームのデータ構造を図示する図である。
【００２５】
実施の形態１の映像記録再生装置は、映像を記録媒体に記録する際に、図１に示される映像ストリームＰＳを記録し、記録媒体に記録された映像を再生する際に、図１に示される映像ストリームＰＳを再生する。
【００２６】
実施の形態１の映像記録再生装置は、映像ストリームＰＳを記録する際に、映像ストリームＰＳを解析し、解析した映像ストリームＰＳに含まれる複数の符号化圧縮単位ＥＣＵにそれぞれ含まれる複数のユーザー独自領域ＵＳＡに複数の代表画像Ｉ１，Ｉ２及びＩ３を記録する。
【００２７】
複数の代表画像Ｉ１は、それぞれ複数の符号化圧縮単位ＥＣＵを代表し、それぞれ複数のユーザー独自領域ＵＳＡに記録され、同じファイルサイズを有する。複数の代表画像Ｉ２も、それぞれ複数の符号化圧縮単位ＥＣＵを代表し、それぞれ複数のユーザー独自領域ＵＳＡに記録され、同じファイルサイズを有する。複数の代表画像Ｉ３も、それぞれ複数の符号化圧縮単位ＥＣＵを代表し、それぞれ複数のユーザー独自領域ＵＳＡに記録され、同じファイルサイズを有する。ただし、複数の代表画像Ｉ１に含まれる各代表画像Ｉ１ｉは、ファイルサイズＦＳ１を有し、複数の代表画像Ｉ２に含まれる各代表画像Ｉ２ｉは、ファイルサイズＦＳ１より小さいファイルサイズＦＳ２を有し、複数の代表画像Ｉ３に含まれる各代表画像Ｉ３ｉは、ファイルサイズＦＳ２より小さいファイルサイズＦＳ３を有する。
【００２８】
実施の形態１の映像記録再生装置は、記録媒体に記録された映像を特殊再生する際に、複数の代表画像Ｉ１，Ｉ２又はＩ３から代表画像を選択し、選択した代表画像から表示装置に表示される映像フレームを生成する。特殊再生は、早送り、早戻し、スロー再生等である。
【００２９】
複数の代表画像Ｉ１は、上述したように、同じファイルサイズを有する。これにより、複数の代表画像Ｉ１から代表画像が選択される場合は、代表画像を読み出すのに要する読み出し時間が一定になる。複数の代表画像Ｉ２も、上述したように、同じファイルサイズを有する。これにより、複数の代表画像Ｉ２から代表画像が選択される場合も、代表画像を読み出すのに要する読み出し時間が一定になる。複数の代表画像Ｉ３も、上述したように、同じファイルサイズを有する。これにより、複数の代表画像Ｉ３から代表画像が選択される場合も、代表画像を読み出すのに要する読み出し時間が一定になる。
【００３０】
実施の形態１の映像記録再生装置は、表示装置に表示される映像の滑らかさ及び精細さを両立するように代表画像を選択する。これにより、ユーザーが所望の映像シーンを容易に見つけることができる。
【００３１】
例えば、実施の形態１の映像記録再生装置は、設定された第１の特殊再生速度より遅い特殊再生速度で映像が特殊再生される際には、複数の代表画像Ｉ１から代表画像を選択し、設定された第１の特殊再生速度より速く設定された第２の特殊再生速度より遅い特殊再生速度で映像が特殊再生される際には、複数の代表画像Ｉ２から代表画像を選択し、設定された第２の特殊再生速度より速い特殊再生速度で映像が特殊再生される際には、複数の代表画像Ｉ３から代表画像を選択する。
【００３２】
複数の代表画像Ｉ１は、低圧縮率で静止画圧縮が行われ高品位を有する高品位代表画像である。複数の代表画像Ｉ２は、中圧縮率で静止画圧縮が行われ中品位を有する中品位代表画像である。複数の代表画像Ｉ３は、高圧縮率で静止画圧縮が行われ低品位を有する低品位代表画像である。これにより、各代表画像Ｉ１ｉのファイルサイズＦＳ１は、大ファイルサイズとなる。各代表画像Ｉ２ｉのファイルサイズＦＳ２は、中ファイルサイズとなる。各代表画像Ｉ３ｉのファイルサイズＦＳ３は、小ファイルサイズとなる。圧縮率を変更することによりファイルサイズを変化させることに代えて、解像度又は各ピクセルの色階調を変更することによりファイルサイズを変化させることが行われてもよい。以下では、各代表画像Ｉ１ｉのファイルサイズＦＳ１が４ＭＢであり、各代表画像Ｉ２ｉのファイルサイズＦＳ２が２ＭＢであり、各代表画像Ｉ３ｉのファイルサイズＦＳ３が１ＭＢであるとする。ただし、各代表画像Ｉ１ｉのファイルサイズＦＳ１、各代表画像Ｉ２ｉのファイルサイズＦＳ２及び各代表画像Ｉ３ｉのファイルサイズＦＳ３が変更されてもよい。
【００３３】
図２は、実施の形態１の映像記録再生装置により生成される付加前の代表画像及び代表画像を図示する図である。
【００３４】
実施の形態１の映像記録再生装置は、映像を記録する際に、複数の付加前の代表画像ＰＩ１，ＰＩ２及びＰＩ３を生成する。また、実施の形態１の映像記録再生装置は、複数の付加前の代表画像ＰＩ１に含まれる少なくともひとつの付加前の代表画像ＰＩ１ａにダミーデータＤＤ１を付加することより、複数の代表画像Ｉ１を生成する。また、実施の形態１の映像記録再生装置は、複数の付加前の代表画像ＰＩ２に含まれる少なくともひとつの付加前の代表画像ＰＩ２ａにダミーデータＤＤ２を付加することより、複数の代表画像Ｉ２を生成する。また、実施の形態１の映像記録再生装置は、複数の付加前の代表画像ＰＩ３に含まれる少なくともひとつの付加前の代表画像ＰＩ３ａにダミーデータＤＤ３を付加することより、複数の代表画像Ｉ３を生成する。
【００３５】
１．２  代表画像から映像フレームを生成する理由
図３は、２Ｋ放送、４Ｋ放送及び８Ｋ放送により放送される映像を図示する図である。
【００３６】
既に標準化されている２Ｋ放送により放送される映像Ｐ１は、図３に図示されるように、横１９２０ピクセル×縦１０８０ピクセルの解像度を有する。しかし、今後標準化される４Ｋ放送により放送される映像Ｐ２は、図３に図示されるように、映像Ｐ１の解像度の４倍の横３８４０ピクセル×縦２１６０ピクセルの解像度を有する。また、今後標準化される８Ｋ放送により放送される映像Ｐ３は、図３に図示されるように、映像Ｐ２の解像度の４倍の横７６８０ピクセル×縦４３２０ピクセルの解像度を有する。
【００３７】
映像Ｐ２は、映像Ｐ１の情報量の約２倍の情報量を有する。また、映像Ｐ３は、映像Ｐ１の情報量の約５倍の情報量を有する。
【００３８】
記録媒体に記録された映像を読み出すのに要する読み出し時間は、記録媒体に記録された映像の解像度が高くなるほど長くなる。このため、記録媒体に記録された映像が特殊再生される場合に表示装置に表示される映像フレームが更新される時間間隔は、記録媒体に記録される映像の解像度が高くなるほど長くなる。このため、記録媒体に記録される映像が映像Ｐ２，Ｐ３等の超高精細映像である場合は、表示装置に表示される映像フレームが更新される時間間隔が長くなるという問題が生じる。
【００３９】
また、映像Ｐ２及びＰ３は、映像Ｐ１を符号化するために用いられる映像圧縮方式の圧縮効率の４倍の圧縮効率を有するＨＥＶＣ（High Efficiency Video Coding）により符号化されている。そして、高い圧縮効率を有するＨＥＶＣにより符号化された映像Ｐ２及びＰ３を復号する際にＣＰＵ（Central Processing Unit）等のプロセッサにかかる負荷は、著しく高い。
【００４０】
これらの事情により、実施の形態１の映像記録再生装置においては、映像を特殊再生する際に、映像ストリームＰＳを復号して表示装置に表示される映像フレームを生成せず、映像ストリームＰＳに記録された複数の代表画像Ｉ１，Ｉ２又はＩ３から表示装置に表示される映像フレームを生成する。
【００４１】
１．３  映像記録再生システム
図４は、実施の形態１の映像記録再生装置を備える映像記録再生システムを図示するブロック図である。
【００４２】
図４に図示される映像記録再生システム１は、操作部１１、実施の形態１の映像記録再生装置１２及び表示装置１３を備える。
【００４３】
操作部１１は、ユーザーにより行われた操作を受け付け、受け付けた操作にしたがって映像記録再生装置１２に要求を行う。受け付けられる操作は、映像の再生開始、再生停止、一時停止、早送り、巻き戻し、早戻し、スロー再生、スキップ等を指示する操作である。操作部１１は、映像記録再生装置１２を収容する筐体に備えられるフロントパネルに配置される操作パネル、リモートコントローラー等である。
【００４４】
映像記録再生装置１２は、行われた要求にしたがって、放送波を受信し、受信した放送波により放送された映像を記録媒体ＲＭに記録する。また、映像記録再生装置１２は、行われた要求にしたがって、記録媒体ＲＭに記録された映像を再生する。映像記録再生装置１２は、記録媒体ＲＭに記録された映像を再生する際に、記録媒体ＲＭに記録された映像を表示装置１３に表示させる。
【００４５】
１．４  映像記録再生装置
映像記録再生装置１２は、図４に図示されるように、システム制御部１０１、メモリ部１０２及びデコーダブロック１０３を備える。
【００４６】
システム制御部１０１は、操作部１１により行われた要求の内容を解釈し、解釈した要求の内容にしたがってデコーダブロック１０３を制御する。また、システム制御部１０１は、デコーダブロック１０３以外の要素も制御し、映像記録再生装置１２の全体を統合制御する。また、システム制御部１０１は、再生制御情報を生成する。
【００４７】
メモリ部１０２は、システム制御部１０１がデコーダブロック１０３を制御する際に必要となる情報を記憶する。
【００４８】
デコーダブロック１０３は、システム制御部１０１による制御にしたがって、放送波を受信し、受信した放送波からストリーム情報を生成し、生成したストリーム情報及び生成された再生制御情報を記録媒体ＲＭに書き込む。また、デコーダブロック１０３は、システム制御部１０１による制御にしたがって、ストリーム情報及び再生制御情報を記録媒体ＲＭから読み込み、読み込んだストリーム情報及び再生制御情報から映像信号及び音声信号を生成し、生成した映像信号及び音声信号を表示装置１３に出力する。
【００４９】
放送波は、４Ｋ放送、８Ｋ放送等の放送波であり、高い解像度を有するデジタル放送番組の映像を放送している。ストリーム情報は、多重化された複数のストリームを含む。複数のストリームは、符号化された映像ストリーム及び音声ストリームを含む。映像ストリームは、ＭＰＥＧ（Moving Picture Experts Group）−２等により符号化されている。音声ストリームは、ＡＣ（Audio Code）−３等により符号化されている。再生制御情報は、ストリーム情報を管理するための情報であり、ストリーム情報の各アクセス単位の再生開始時間情報と各アクセス単位の再生開始位置情報との対応関係を示す情報、ストリーム情報から分離された、映像ストリーム及び音声ストリームに関する映像及び音声の属性情報等を含む。アクセス単位は、符号化圧縮単位等である。符号化圧縮単位は、通常は、ＧＯＰ（Group of Picture）である。
【００５０】
１．５  デコーダブロック
デコーダブロック１０３は、図４に図示されるように、チューナー部１１１、記録再生ドライブ部１１２、ストリーム制御部１１３、映像音声デコーダ部１１４、静止画エンコーダ部１１５、静止画デコーダ部１１６及びデジタルインターフェース部１１７を備える。
【００５１】
チューナー部１１１は、放送波を受信し、受信した放送波を復号してＡＶストリームを生成する。生成されるＡＶストリームは、ＭＰＥＧ−２  ＴＳ（MPEG-2 Transport Stream）により多重化された複数のストリームを含む。複数のストリームは、符号化された映像ストリーム及び音声ストリームを含む。複数のストリームが、ＭＰＥＧ−２  ＴＳ以外により多重化されてもよい。例えば、複数のストリームが、ＭＭＴ（Mpeg Media Transport）により多重化されてもよい。
【００５２】
記録再生ドライブ部１１２は、記録媒体ＲＭにストリーム情報及び再生制御情報を書き込み、記録媒体ＲＭからストリーム情報及び再生制御情報を読み出す。
【００５３】
記録媒体ＲＭは、光ディスクであり、記録再生ドライブ部１１２は、光ディスクドライブ装置である。ただし、記録媒体ＲＭが光ディスク以外の記録媒体であってもよく、記録再生ドライブ部１１２が光ディスクドライブ装置以外のドライブ装置であってもよい。例えば、記録媒体ＲＭがＳＤメディアであってもよく、記録再生ドライブ部１１２がＳＤメディアドライブ装置であってもよい。記録再生ドライブ部１１２が、それ自身にストリーム情報及び再生制御情報を記憶する装置であってよい。例えば、記録再生ドライブ部１１２が、ハードディスクドライブ装置等であってもよい。
【００５４】
ストリーム制御部１１３は、ＡＶストリーム、ストリーム情報等の流れを統合制御する。
【００５５】
ストリーム制御部１１３は、チューナー部１１１により生成されたＡＶストリームを受信し、受信したＡＶストリームからＩピクチャを抽出し、抽出したＩピクチャを映像音声デコーダ部１１４に送信する。また、ストリーム制御部１１３は、静止画エンコーダ部１１５により生成された複数の代表画像Ｉ１，Ｉ２及びＩ３を受信し、受信した複数の代表画像Ｉ１，Ｉ２及びＩ３を受信したＡＶストリームに記録し、複数の代表画像Ｉ１，Ｉ２及びＩ３が記録されたＡＶストリームを記録再生ドライブ部１１２に送信する。
【００５６】
また、ストリーム制御部１１３は、記録再生ドライブ部１１２により読み出されたストリーム情報を受信し、受信したストリーム情報を映像音声デコーダ部１１４に送信する。
【００５７】
また、ストリーム制御部１１３は、記録再生ドライブ部１１２により読み出されたストリーム情報を受信し、受信したストリーム情報に記録された複数の代表画像Ｉ１，Ｉ２又はＩ３から代表画像を選択し、選択した代表画像を読み出し、読み出した代表画像を静止画デコーダ部１１６に送信する。
【００５８】
映像音声デコーダ部１１４は、送信されたＩピクチャをＨＥＶＣにより復号する。
【００５９】
また、映像音声デコーダ部１１４は、送信されたストリーム情報から符号化された映像ストリーム及び音声ストリームを分離して取り出し、取り出した映像ストリームをＭＰＥＧ−２により復号して映像信号を生成し、取り出した音声ストリームをＡＣ−３により復号して音声信号を生成する。
【００６０】
静止画エンコーダ部１１５は、復号されたＩピクチャをＪＰＥＧにより符号化して複数の代表画像Ｉ１，Ｉ２及びＩ３を生成する。
【００６１】
静止画デコーダ部１１６は、送信された代表画像をＪＰＥＧにより符号化して映像信号を生成する。
【００６２】
ＩピクチャがＪＰＥＧ以外の静止画圧縮方式により符号化されてもよく、代表画像がＪＰＥＧ以外の静止画圧縮方式により復号されてもよい。
【００６３】
デジタルインターフェース部１１７は、生成された映像信号及び音声信号をそれぞれＨＤＭＩ（High Definition Multimedia Interface）（登録商標）規格に準拠した映像信号及び音声信号に変換し、ＨＤＭＩ規格に準拠した映像信号及び音声信号を表示装置１３に出力する。これにより、表示装置１３には、出力された映像信号及び音声信号にそれぞれ応じた映像及び音声が表示される。
【００６４】
１．６  システム制御部
システム制御部１０１は、図４に図示されるように、代表画像生成制御部１２１及び特殊再生位置制御部１２２を備える。
【００６５】
代表画像生成制御部１２１は、映像が記録される際に、ストリーム制御部１１３、映像音声デコーダ部１１４及び静止画エンコーダ部１１５を制御し、ストリーム制御部１１３、映像音声デコーダ部１１４及び静止画エンコーダ部１１５に、複数の代表画像Ｉ１，Ｉ２及びＩ３を生成させ、生成させた複数の代表画像Ｉ１，Ｉ２及びＩ３をＡＶストリームに記録させる。これにより、ストリーム制御部１１３、映像音声デコーダ部１１４、静止画エンコーダ部１１５及び代表画像生成制御部１２１は、映像が記録される際に、ＡＶストリームに記録される複数の代表画像Ｉ１，Ｉ２及びＩ３を生成する代表画像生成部として機能する。
【００６６】
特殊再生位置制御部１２２は、映像が特殊再生される際に、ストリーム制御部１１３、静止画デコーダ部１１６及びデジタルインターフェース部１１７を制御し、ストリーム制御部１１３、静止画デコーダ部１１６及びデジタルインターフェース部１１７に、複数の代表画像Ｉ１，Ｉ２又はＩ３から代表画像を選択させ、選択させた代表画像を復号させ、復号させた代表画像を表示装置１３に表示させる。これにより、ストリーム制御部１１３、静止画デコーダ部１１６、デジタルインターフェース部１１７及び特殊再生位置制御部１２２は、映像が特殊再生される際に、複数の代表画像Ｉ１，Ｉ２又はＩ３から代表画像を選択し、選択した代表画像を復号し、復号した代表画像を表示装置１３に表示させる代表画像選択部として機能する。
【００６７】
代表画像生成制御部１２１及び特殊再生位置制御部１２２は、システム制御部１０１にインストールされたファームウェア等をシステム制御部１０１に備えられるプロセッサに実行させることにより構成される。代表画像生成制御部１２１及び特殊再生位置制御部１２２が、システム制御部１０１以外の要素に実装されてもよい。代表画像生成制御部１２１及び特殊再生位置制御部１２２が、プログラムを実行しないハードウェアにより構成されてもよい。互いに分離された代表画像生成制御部１２１及び特殊再生位置制御部１２２が、統合されたひとつの機能ブロックに置き換えられてもよい。代表画像生成制御部１２１及び特殊再生位置制御部１２２の各々が、細分化された複数の機能ブロックを備えてもよい。
【００６８】
１．７  映像が記録される際の処理
以下では、映像が記録される際の処理が説明される。
【００６９】
映像記録再生装置１２が映像を記録する際には、チューナー部１１１が、放送波を受信し、受信した放送波を復号してＡＶストリームを生成する。
【００７０】
続いて、ストリーム制御部１１３が、生成されたＡＶストリームを、ストリーム制御部１１３に備えられる図示されないメモリ領域に一時的に保存する。メモリ領域へのＡＶストリームの保存は、符号化圧縮単位で行われる。このため、当該メモリ領域には、生成されたＡＶストリームに含まれる各符号化圧縮単位ＥＣＵｉ（図１参照）が一時的に保存される。
【００７１】
続いて、ストリーム制御部１１３が、代表画像生成制御部１２１による制御にしたがって、保存した各符号化圧縮単位ＥＣＵｉから独立して復号することができるＩピクチャを抽出する。
【００７２】
続いて、映像音声デコーダ部１１４が、代表画像生成制御部１２１による制御にしたがって、抽出されたＩピクチャをＨＥＶＣにより復号する。
【００７３】
続いて、静止画エンコーダ部１１５が、復号されたＩピクチャをＪＰＥＧにより符号化して代表画像Ｉ１ｉ，Ｉ２ｉ及びＩ３ｉを生成する。
【００７４】
また、代表画像生成制御部１２１が、代表画像制御情報をストリーム制御部１１３に送信する。送信される代表画像制御情報は、代表画像Ｉ１ｉ，Ｉ２ｉ及びＩ３ｉのファイルサイズ、解像度、静止画圧縮方式、圧縮率等を含む。解像度は、幅方向及び高さ方向のピクセル数を含む。
【００７５】
続いて、ストリーム制御部１１３が、保存した各符号化圧縮単位ＥＣＵｉに含まれるユーザー独自領域ＵＳＡｉ（図１参照）に、生成された代表画像Ｉ１ｉ，Ｉ２ｉ及びＩ３ｉ、並びに送信された代表画像制御情報を記録する。ユーザー独自領域ＵＳＡｉは、映像ストリームＰＳに含まれる各符号化圧縮単位ＥＣＵｉに含まれるＳＥＩ（Supplimental Element Infomation）等である。
【００７６】
これらの処理が複数の符号化圧縮単位ＥＣＵについて行われることにより、複数のユーザー独自領域ＵＳＡに、それぞれ複数の代表画像Ｉ１が記録される。また、複数のユーザー独自領域ＵＳＡに、それぞれ複数の代表画像Ｉ２が記録される。また、複数のユーザー独自領域ＵＳＡに、それぞれ複数の代表画像Ｉ３が記録される。
【００７７】
続いて、記録再生ドライブ部１１２が、代表画像Ｉ１ｉ，Ｉ２ｉ及びＩ３ｉが記録された各符号化圧縮単位ＥＣＵｉを記録媒体ＲＭに書き込む。
【００７８】
この処理が複数の符号化圧縮単位ＥＣＵについて行われることにより、複数の代表画像Ｉ１，Ｉ２及びＩ３が記録された複数の符号化圧縮単位ＥＣＵを含むＡＶストリームを含むストリーム情報が記録媒体ＲＭに書き込まれる。
【００７９】
続いて、記録再生ドライブ部１１２が、システム制御部１０１による制御にしたがって、ストリーム情報を記録媒体ＲＭに書き込んだ後に、再生制御情報を記録媒体ＲＭに書き込む。
【００８０】
代表画像Ｉ１ｉ，Ｉ２ｉ及びＩ３ｉをリアルタイム処理で生成することができない場合は、映像が記録された後に、代表画像Ｉ１ｉ，Ｉ２ｉ及びＩ３ｉが生成され、生成された代表画像Ｉ１ｉ，Ｉ２ｉ及びＩ３ｉにより、それぞれ代表画像Ｉ１ｉ，Ｉ２ｉ及びＩ３ｉが記録されることが予定されていた領域が上書きされる。このような処理が可能であるのは、代表画像Ｉ１ｉ，Ｉ２ｉ及びＩ３ｉが、固定長のファイルであるからである。映像が記録された後に、代表画像Ｉ１ｉ，Ｉ２ｉ及びＩ３ｉがオフラインで生成される場合は、ＧＯＰに含まれる、Ｉピクチャ以外のピクチャから代表画像Ｉ１ｉ，Ｉ２ｉ及びＩ３ｉが生成されてもよい。例えば、Ｂピクチャ又はＰピクチャから代表画像Ｉ１ｉ，Ｉ２ｉ及びＩ３ｉが生成されてもよい。
【００８１】
１．８  映像が通常再生される際の処理
以下では、映像が通常再生される際の処理が説明される。通常再生は、下述する特殊再生でない再生であり、１倍速再生とも呼ばれる。
【００８２】
映像記録再生装置１２が映像を通常再生する際には、記録再生ドライブ部１１２が、ストリーム情報を記録媒体ＲＭから読み出して映像を再生するのに先だって、再生制御情報を記録媒体ＲＭから読み出す。
【００８３】
続いて、システム制御部１０１が、読み出された再生制御情報をメモリ部１０２に記憶させる。これにより、記憶された再生制御情報を即座に読み出すことができる。
【００８４】
続いて、システム制御部１０１が、記憶された再生制御情報を読み出し、読み出した再生制御情報にしたがって、周辺の要素を制御して周辺の要素に映像を再生するための準備を行わせる。
【００８５】
続いて、記録再生ドライブ部１１２が、ストリーム情報を記録媒体ＲＭから読み出す。
【００８６】
続いて、ストリーム制御部１１３が、読み出されたストリーム情報を映像音声デコーダ部１１４に送信する。
【００８７】
続いて、映像音声デコーダ部１１４が、送信されたストリーム情報から符号化された映像ストリーム及び音声ストリームを分離して取り出し、取り出した映像ストリームをＭＰＥＧ−２により復号して映像信号を生成し、取り出した音声ストリームをＡＣ−３により復号して音声信号を生成する。
【００８８】
続いて、デジタルインターフェース部１１７が、生成された映像信号及び音声信号を、ＨＤＭＩ規格に準拠した映像信号及び音声信号に変換し、ＨＤＭＩ規格に準拠した映像信号及び音声信号を表示装置１３に出力する。
【００８９】
１．９  映像が特殊再生される際の処理
以下では、映像が特殊再生される際の処理が説明される。特殊再生は、早送り、早戻し、スロー再生等であり、通常再生の再生速度である１倍速より速い又は遅い特殊再生速度で行われる。
【００９０】
映像記録再生装置１２が映像を特殊再生する際には、記録再生ドライブ部１１２が、ストリーム情報を記録媒体ＲＭから読み出す。
【００９１】
続いて、ストリーム制御部１１３が、特殊再生位置制御部１２２による制御にしたがって、読み出されたストリーム情報に含まれる各符号化圧縮単位ＥＣＵｉから代表画像Ｉ１ｉ，Ｉ２ｉ又はＩ３ｉを選択し、選択した代表画像を読み出す。
【００９２】
続いて、静止画デコーダ部１１６が、特殊再生位置制御部１２２による制御にしたがって、読み出された代表画像をＪＰＥＧにより復号して映像信号を生成する。
【００９３】
続いて、デジタルインターフェース部１１７が、生成された映像信号を、ＨＤＭＩ規格に準拠した映像信号に変換し、ＨＤＭＩ規格に準拠した映像信号を表示装置１３に出力する。
【００９４】
１．１０  代表画像から映像フレームを生成することの利点
映像が特殊再生される際にＩピクチャから映像フレームが生成される場合は、特殊再生速度に応じて時間位置をスキップし、スキップ先の時間位置に配置された符号化圧縮単位ＥＣＵｉからＩピクチャを抽出し、抽出したＩピクチャから映像フレームを生成することが繰り返される。この場合は、高い解像度を有しＨＥＶＣにより符号化されたＩピクチャを復号しなければならない。そして、上述したように、高い圧縮効率を有するＨＥＶＣにより符号化されたＩピクチャを復号する際に映像記録再生装置１２にかかる負荷は、著しく高い。
【００９５】
これに対して、映像が特殊再生される際に代表画像Ｉ１ｉ，Ｉ２ｉ又はＩ３ｉから映像フレームが生成される場合は、特殊再生速度に応じて時間位置をスキップし、スキップ先の時間位置に配置された符号化圧縮単位ＥＣＵｉから代表画像Ｉ１ｉ，Ｉ２ｉ又はＩ３ｉを読み出し、読み出した代表画像から映像フレームを生成することが繰り返される。この場合は、ＪＰＥＧにより符号化された代表画像を復号しなければならない。しかし、ＪＰＥＧにより符号化された代表画像を復号する際に映像記録再生装置１２にかかる負荷は、低い。これにより、単位時間に生成することができる映像フレームを増やすことができ、映像を滑らかに特殊再生することができる。また、複数の代表画像Ｉ１のファイルサイズを同じにし、複数の代表画像Ｉ２のファイルサイズを同じにし、複数の代表画像Ｉ３のファイルサイズを同じにすることにより、映像フレームが更新される時間間隔を均一にすることができる。
【００９６】
映像再生記録装置が１秒間に２枚のＩピクチャを復号することができる場合に１０倍速の特殊再生速度で映像が特殊再生されるときは、映像フレームが更新される時間間隔は５秒となる。ただし、Ｉピクチャのデータサイズが変動した場合はＩピクチャを読み出すのに要する読み出し時間も変動するため、映像再生記録装置が１秒間に２枚のＩピクチャを確実に復号することができるとは限らない。例えば、Ｉピクチャが黒画等の単純な画像を表現する場合は、Ｉピクチャのデータサイズが小さくなるので、Ｉピクチャから映像フレームを生成するのに要する生成時間が短くなる。しかし、Ｉピクチャが市松模様等の複雑な画像を表現する場合は、Ｉピクチャのデータサイズが大きくなるので、Ｉピクチャから映像フレームを生成するのに要する生成時間が長くなる。このため、映像フレームが更新される時間間隔が不均一になり、映像の視認性が低下する。
【００９７】
１．１１  記録媒体
図５は、実施の形態１の映像記録再生装置によりストリーム情報及び再生制御情報が書き込まれた記録媒体の論理ファイル構造を図示する図である。
【００９８】
ストリーム情報及び再生制御情報が書き込まれた記録媒体ＲＭは、図５に示されるように、階層構造を有する論理ファイル構造を有する。
【００９９】
記録媒体ＲＭは、ルートディレクトリ１４０を有する。ルートディレクトリ１４０は、階層構造において最上位の階層に配置されるディレクトリ構造である。
【０１００】
記録媒体ＲＭは、ディスクディレクトリ１４１を含む。ディスクディレクトリ１４１は、階層構造においてルートディレクトリ１４０が配置される階層の下位の階層に配置されるディレクトリ構造である。
【０１０１】
記録媒体ＲＭには、再生制御情報ファイル１４２が書き込まれる。再生制御情報ファイル１４２は、ディスクディレクトリ１４１に格納される。再生制御情報ファイル１４２は、再生制御情報の内容を示す。再生制御情報は、ストリーム情報を管理するための情報である。
【０１０２】
記録媒体ＲＭは、ストリーム管理ディレクトリ１４３を有する。ストリーム管理ディレクトリ１４３は、階層構造においてディスクディレクトリ１４１が配置される階層の下位の階層に配置されるディレクトリ構造である。
【０１０３】
記録媒体ＲＭには、複数のストリーム情報ファイル１４４が書き込まれる。複数のストリーム情報ファイル１４４は、ストリーム管理ディレクトリ１４３にまとめて格納される。複数のストリーム情報ファイル１４４が、ストリーム管理ディレクトリ１４３以外のディレクトリに格納されてもよい。例えば、複数のストリーム情報ファイル１４４が、ルートディレクトリ１４０に格納されてもよい。複数のストリーム情報ファイル１４４は、ストリーム情報の内容を示す。複数のストリーム情報ファイル１４４は、それぞれ複数の管理単位について作成されている。ひとつのストリーム情報ファイルが複数の管理単位について作成されてもよい。
【０１０４】
複数のストリーム情報ファイル１４４は、５桁の数字からなるファイル名を有する。複数のストリーム情報ファイル１４４のファイル名は、連番となっていてもよいし、連番となっていなくてもよい。
【０１０５】
１．１２  ストリーム情報ファイル
図６は、実施の形態１の映像記録再生装置により記録媒体に書き込まれる各ストリーム情報ファイルのデータ構造を図示する図である。
【０１０６】
複数のストリーム情報ファイル１４４に含まれる各ストリーム情報ファイル１４４ｊは、図６に図示されるように、複数のパケット１５１を含む。各ストリーム情報ファイル１４４ｊは、ＡＶストリームファイルを構成する。複数のパケット１５１は、パケット層を構成する。複数のパケット１５１に含まれる各パケット１５１ｋは、固定長を有するデータ単位である。
【０１０７】
各ストリーム情報ファイル１４４ｊを構成する映像データ、音声データ及びストリーム管理データは、多重化されている。映像データ及び音声データは、それぞれ映像ストリーム及び音声ストリームの内容を示す。映像データ、音声データ及びストリーム管理データは、複数の分割データに分割されている。複数の分割データは、それぞれ複数のパケット１５１に格納される。
【０１０８】
各パケット１５１ｋは、ヘッダ情報１５２及びデータ領域１５３を含む。ヘッダ情報１５２は、各パケット１５１ｋの先頭の部分に配置される。データ領域１５３は、各パケット１５１ｋの先頭の部分に続く部分に配置される。ヘッダ情報１５２は、ＩＤ（Identifier）１５４を含む。データ領域１５３には、ひとつの分割データが格納される。ＩＤ１５４は、データ領域１５３に格納された分割データが映像データ、音声データ及びストリーム管理データのいずれに属するのかを識別する。ストリーム制御部１１３は、データ領域１５３に格納された分割データが映像データ、音声データ及びストリーム管理データのいずれに属するのかをＩＤ１５４により特定し、映像データ、音声データ及びストリーム管理データを互いに分離する。
【０１０９】
１．１３  再生制御情報
再生制御情報は、少なくともひとつのプレイリストを含む。少なくともひとつのプレイリストの各々は、記録媒体ＲＭに記録される番組のタイトルである。
【０１１０】
また、再生制御情報は、少なくともひとつのプレイリストの各々に含まれる少なくともひとつのプレイアイテムを含む。
【０１１１】
少なくともひとつのプレイアイテムは、少なくともひとつの映像フレームを含む。少なくともひとつの映像フレームの各々は、複数のピクセルを含む。
【０１１２】
図７は、実施の形態１の映像記録再生装置により記録媒体に書き込まれる再生制御情報ファイルのシンタックスを図示する図である。
【０１１３】
再生制御情報ファイル１４２は、再生制御情報の内容を示す。
【０１１４】
再生制御情報ファイル１４２は、図７に図示されるように、プレイリストの総数「num_of_playlist」１６２を含む。
【０１１５】
また、再生制御情報ファイル１４２は、ループ文１６３を含む。ループ文１６３は、プレイリストの内容を示す。ループ文１６３は、プレイリストの総数「num_of_playlist」１６２に続いて記述され、「for」から始まる。ループ文１６３は、プレイリストの総数「num_of_playlist」１６２に一致する数だけ繰り返される。
【０１１６】
ループ文１６３は、プレイアイテムの総数「num_of_playitem」１６４を含む。
【０１１７】
また、ループ文１６３は、ループ文１６５を含む。ループ文１６５は、プレイアイテムの内容を示す。ループ文１６５は、プレイアイテムの総数「num_of_playitem」１６４に続いて記述され、「for」から始まる。ループ文１６５は、プレイアイテムの総数「num_of_playitem」１６４に一致する数だけ繰り返される。
【０１１８】
ループ文１６５は、再生区間情報１６６を含む。再生区間情報１６６は、ストリームファイル名１６７、再生開始時間１６８及び再生終了時間１６９を含む。ストリームファイル名１６７は、再生される区間を含むストリーム情報ファイルのファイル名を示す。再生開始時間１６８は、当該ストリーム情報ファイルにおける再生を開始する時間を示す。再生終了時間１６９は、当該ストリーム情報ファイルにおける再生を終了する時間を示す。映像記録再生装置１２は、再生区間情報１６６に基づいて、ストリーム情報ファイルに含まれる再生すべき区間を判断することができる。
【０１１９】
再生制御情報ファイル１４２は、ストリーム情報ファイルの総数「num_of_stream」１７０を含む。ストリーム情報ファイルの総数「num_of_stream」１７０は、記録媒体ＲＭに書き込まれる複数のストリーム情報ファイル１４４の総数を示す。
【０１２０】
また、再生制御情報ファイル１４２は、ループ文１７１を含む。ループ文１７１は、ストリーム情報ファイル１４４ｊの内容を示す。ループ文１７１は、ストリーム情報ファイルの総数「num_of_stream」１７０に続いて記述され、「for」から始まる。ループ文１７１は、ストリーム情報ファイルの総数「num_of_stream」１７０に一致する数だけ繰り返される。
【０１２１】
ループ文１７１は、ストリーム情報ファイル名１７２、属性情報管理テーブル１７３及びアクセスポイント管理テーブル１７４を含む。ストリーム情報ファイル名１７２は、ストリーム情報ファイル１４４ｊの名称であり、ストリーム情報ファイル１４４ｊのファイル名に含まれる５桁の数字である。属性情報管理テーブル１７３には、ストリーム情報ファイル１４４ｊ中で使用される属性情報が記述される。属性情報は、映像情報、音声情報等を含む。属性情報管理テーブル１７３は、ＩＤ１５４を含む。ＩＤ１５４は、ストリームを構成する映像情報、音声情報等に含まれる各情報に対応づけられ、パケットに格納された分割データが映像データ、音声データ及びストリーム管理データのいずれに属するのかを識別する。ストリーム制御部１１３は、ＩＤ１５４に基づいて映像データ、音声データ及びストリーム管理データを互いに分離する。アクセスポイント管理テーブル１７４は、リスト情報を含む。リスト情報は、各アクセスポイントのストリームの読み出し位置及び再生開始時間を含む。映像記録再生装置１２は、リスト情報に基づいて、タイムサーチ、特殊再生等のランダムアクセス再生を行うことができる。映像データがＭＰＥＧ−２ビデオエンコードでエンコードされた映像データである場合は、各ＧＯＰの先頭がアクセスポイントに相当し、各ＧＯＰの再生開始時間及び再生開始アドレスを示す情報が含まれる。再生開始アドレスは、ストリーム情報ファイル１４４ｊの先頭を起点とした場合の位置を示す。映像記録再生装置１２は、再生開始時間を示す情報からストリーム情報ファイル１４４ｊの再生開始アドレスを割り出し、ランダムアクセス再生を行う。
【０１２２】
１．１４  映像ストリーム
図８は、実施の形態１の映像記録再生装置により生成される映像ストリームのデータ構造を図示する図である。
【０１２３】
映像ストリームＰＳは、ストリーム制御部１１３がＡＶストリームをデマルチプレクスすることにより生成され、符号化圧縮されている。
【０１２４】
映像ストリームＰＳは、図８に示されるように、複数のＧＯＰ１８１を含む。映像ストリームＰＳにおいては、複数のＧＯＰ１８１に含まれる各ＧＯＰ１８１ｍが符号化圧縮単位となっている。このため、映像ストリームＰＳは、各ＧＯＰ１８１ｍを符号化圧縮することにより全体として符号化圧縮される。
【０１２５】
各ＧＯＰ１８１ｍは、Ｉピクチャ１８２、Ｐピクチャ１８３及びＢピクチャ１８４を含む。各ＧＯＰ１８１ｍは、例えば、約０．５秒の再生時間を有する映像ストリームＰＳの区間を符号化圧縮することにより得られる。
【０１２６】
Ｉピクチャ１８２は、対象となる映像フレームを符号化することにより得られる。Ｐピクチャ１８３は、対象となる映像フレームと対象となる映像フレームより時間的に前方向に配置される映像フレームとの間で動き補償を行い、前者の映像フレームと後者の映像フレームとの差分を符号化することにより得られる。Ｂピクチャ１８４は、対象となる映像フレームと対象となる映像フレームより時間的に前後方向に配置される映像フレームとの間で動き補償を行い、前者の映像フレームと後者の映像フレームとの差分を符号化することにより得られる。したがって、Ｉピクチャ１８２が復号される際には、他のピクチャを参照しなくてもよい。しかし、Ｐピクチャ１８３が復号される際には、時間的に前方向に配置されるＩピクチャ１８２を参照しなければならない。また、Ｂピクチャ１８４が復号される際には、時間的に前後方向に配置されるＩピクチャ１８２又はＰピクチャ１８３を参照しなければならない。したがって、各ＧＯＰ１８１ｍが復号される際には、Ｉピクチャ１８２が復号され、Ｉピクチャ１８２が復号された後にＰピクチャ１８３及びＢピクチャ１８４が復号される。
【０１２７】
Ｉピクチャ１８２は、各ＧＯＰ１８１ｍの先頭に配置される。Ｉピクチャ１８２は、表示時刻情報１８５、映像属性情報１８６及び符号化映像データ１８７を含む。
【０１２８】
表示時刻情報１８５は、表示装置１３に表示される時刻を示す情報である。表示時刻情報１８５は、映像及び音声と同期することができる。表示時刻情報１８５は、ＰＴＳ（Presentation Time Stamp）等である。表示時刻情報１８５が、ＰＴＳ以外の、映像及び音声と同期することができる時刻情報であってもよい。例えば、表示時刻情報１８５が、ＮＰＴ（Network Time Protocol）により定義される時刻情報であってもよい。
【０１２９】
映像属性情報１８６は、ＡＵＤ（Access Unit Delimiter）１８８、ＳＰＳ（System Parameter Set）１８９、ＰＰＳ（Picture Parameter Set）１９０及びＳＥＩ（Supplimental Element Infomation）１９１を含む。ＡＵＤ１８８は、映像のアクセスユニットの先頭を示す識別子情報を含む。ＡＵＤ１８８は、当該アクセスユニットに含まれるスライスの種類を示す情報を含む。ＳＰＳ１８９は、各ＧＯＰ１８１ｍの全体の符号化に関するプロファイル、レベル、解像度、フレームレート、ビットレート上限値等を示す情報を含む。ＰＰＳ１９０は、ピクチャの全体の符号化に関する情報を含む。ＰＰＳ１９０は、エントロピー符号化モード、ピクチャ単位の量子化パラメータ等を示す情報を含む。ＳＥＩ１９１は、ユーザー独自領域である。レコーダーは、任意のメタデータ情報をＳＥＩ１９１に記録することができる。映像記録再生装置１２は、上述した代表画像Ｉ１ｉ、代表画像Ｉ２ｉ、代表画像Ｉ３ｉ及び代表画像制御情報をＳＥＩ１９１に記録する。
【０１３０】
符号化映像データ１８７は、符号化された映像フレームを含む。符号化映像データ１８７が復号された場合は、映像フレームが得られる。符号化映像データ１８７は、少なくともひとつのスライス１９２を含む。
【０１３１】
Ｐピクチャ１８３及びＢピクチャ１８４は、表示時刻情報１８５、映像属性情報１８６及び符号化映像データ１８７を含む。映像属性情報１８６は、ＡＵＤ１８８及びＰＰＳ１９０を含むが、ＰＰＳ１９０及びＳＥＩ１９１を含まない。
【０１３２】
１．１５  ＳＥＩ
図９は、実施の形態１の映像再生記録装置により生成される映像ストリームに含まれるＳＥＩのデータ構造を図示する図である。
【０１３３】
ＳＥＩ１９１は、図９に示されるように、代表画像制御情報２０１、高品位代表画像Ｉ１ｉ、中品位代表画像Ｉ２ｉ及び低品位代表画像Ｉ３ｉを含む。
【０１３４】
代表画像の品位は、代表画像の精細感、質感の度合いを示す。高い品位を有することは、高い解像度を有することであってもよいし、低い圧縮率で静止画圧縮が行われたことであってもよい。代表画像の品位が高くなるほど、代表画像を記録媒体ＲＭから読み出すのに要する読み出し時間が長くなり、代表画像を復号するのに要する復号時間が長くなる。このため、代表画像の品位が高くなるほど、表示装置１３に単位時間に表示することができる映像フレームの数が少なくなり、表示装置１３に表示される映像の滑らかさが低下する。一方で、代表画像の品位が低くなるほど、代表画像を復号するのに要する復号時間が短くなる。このため、代表画像の品位が低くなるほど、表示装置１３に単位時間に表示することができる映像フレームの数が多くなり、表示装置１３に表示される映像の滑らかさが向上する。ただし、代表画像の品位が低くなるほど、映像シーンの細部まで認識することが困難になる。
【０１３５】
代表画像制御情報２０１は、データの種別「Data_type」２１１、メーカー識別子「Maker_ID」２１２及びピクチャ管理情報の総数「num_of_Picture」２１３を含む。
【０１３６】
データの種別「Data_type」２１１は、ＳＥＩ１９１に書き込まれたデータの種別を示す。高品位代表画像Ｉ１ｉ、中品位代表画像Ｉ２ｉ及び低品位代表画像Ｉ３ｉがＳＥＩ１９１に記録される場合は、データの種別「Data_type」２１１は、ＳＥＩ１９１に書き込まれたデータが映像を滑らかに特殊再生するためのメタデータであることを示す識別子である。メーカー識別子「Maker_ID」２１２は、ＳＥＩ１９１にメタデータを書き込んだレコーダーを提供したメーカーを識別する。ピクチャ管理情報の総数「num_of_Picture」２１３は、ピクチャ管理情報の総数を示す。高品位代表画像Ｉ１ｉ、中品位代表画像Ｉ２ｉ及び低品位代表画像Ｉ３ｉがＳＥＩ１９１に記録される場合は、ピクチャ管理情報の総数「num_of_Picture」２１３は、代表画像の数に一致する「３」である。
【０１３７】
代表画像制御情報２０１は、ピクチャ管理情報２１４を含む。
【０１３８】
ピクチャ管理情報２１４は、オフセットバイト「offset_byte」２１５、ファイルサイズ「file_size」２１６、ファイルサイズ「pic_size」２１７、幅「pic_width」２１８、高さ「pic_height」２１９、静止画圧縮方式「pic_codec」２２０、圧縮率「comp_rate」２２１、最大表示画像数「max_disp_time」２２２及び最小表示画像数「min_disp_time」２２３を含む。
【０１３９】
オフセットバイト「offset_byte」２１５は、各代表画像Ｉの先頭アドレスの位置を示す。各代表画像Ｉの先頭アドレスの位置は、ＳＥＩ１９１の先頭バイトを起点とした場合の各代表画像Ｉの先頭の相対アドレスを示すオフセットバイトにより表される。
【０１４０】
ファイルサイズ「file_size」２１６は、各代表画像Ｉのファイルサイズの目標値を示す。
【０１４１】
ファイルサイズ「pic_size」２１７は、各代表画像Ｉにダミーデータが付加される前の付加前の各代表画像のファイルサイズを示す。付加前の各代表画像のファイルサイズは、バイト数により表される。付加前の各代表画像のファイルサイズが各代表画像Ｉのファイルサイズの目標値より小さい場合は、各代表画像Ｉのファイルサイズの目標値と付加前の各代表画像のファイルサイズとの差に一致するサイズを有するダミーデータが準備され、準備されたダミーデータが付加前の各代表画像に付加されて各代表画像Ｉが生成される。準備されるダミーデータは、各代表画像Ｉのファイルサイズの目標値と付加前の各代表画像のファイルサイズとの差を埋める。
【０１４２】
幅「pic_width」２１８は、各代表画像Ｉの幅方向のピクセル数を示す。高さ「pic_height」２１９は、各代表画像Ｉの高さ方向のピクセル数を示す。幅「pic_width」２１８及び高さ「pic_height」２１９は、各代表画像Ｉの解像度を示す。
【０１４３】
静止画圧縮方式「pic_codec」２２０は、各代表画像Ｉが符号化された際に用いられた静止画圧縮方式を示す。静止画圧縮方式は、ＪＰＥＧ、ＪＰＥＧ２０００、ビットマップ等である。静止画圧縮方式は、コーデックの種別を示す識別子により表される。
【０１４４】
圧縮率「comp_rate」２２１は、各代表画像Ｉの圧縮率を示す。各代表画像Ｉの圧縮率が小さくなるほど、各代表画像Ｉのファイルサイズは小さくなる。しかし、各代表画像Ｉの圧縮率が小さくなるほど、各代表画像Ｉの画質は低くなる。
【０１４５】
最大表示画像数「max_disp_time」２２２は、表示装置１３に１秒間に表示することができる代表画像の数の期待値を示す。
【０１４６】
最小表示画像数「min_disp_time」２２３は、表示装置１３に１秒間に表示する代表画像の数の最小値を示す。
【０１４７】
最大表示画像数「max_disp_time」２２２が「４」である場合は、表示装置１３に１秒間に４枚の代表画像を表示することができる。最小表示画像数「min_disp_time」２２３が「１」である場合は、表示装置１３に１秒間に１枚の代表画像が表示される。表示装置１３に１秒間に４枚の代表画像を表示することができる場合であっても、映像が１倍速のような低い再生速度で再生される場合は、最小表示画像数「min_disp_time」２２３により示される枚数すなわち１枚の代表画像が表示装置１３に表示される。このように、最小表示画像数「min_disp_time」２２３には、表示装置１３に実際に表示する代表画像の数を示す。
【０１４８】
１．１６  特殊再生速度テーブル
図１０は、実施の形態１の映像記録再生装置により参照される特殊再生速度テーブルのデータ構造を図示する図である。
【０１４９】
図１０に示される特殊再生速度テーブル２３１は、映像が特殊再生される際の再生速度を示す特殊再生速度Ｓ＿ｔｐ、及び当該特殊再生速度Ｓ＿ｔｐに対応する代表画像を示す。特殊再生位置制御部１２２は、映像が特殊再生速度Ｓ＿ｔｐで特殊再生される際に、特殊再生速度テーブル２３１を参照して特殊再生速度Ｓ＿ｔｐに対応する代表画像を特定し、代表画像Ｉ１ｉ，Ｉ２ｉ及びＩ３ｉから特定した代表画像を選択し、選択した代表画像から表示装置１３に表示される映像フレームが生成されるように制御を行う。
【０１５０】
特殊再生速度テーブル２３１は、特殊再生速度エントリー２３２を含む。特殊再生速度エントリー２３２は、特殊再生速度Ｓ＿ｔｐを、Ｓ＿ｔｐ＜×１．０、×１．０＜Ｓ＿ｔｐ＜＝×１０．０、×１０．０＜Ｓ＿ｔｐ＜＝×３０．０及び×３０．０＜Ｓ＿ｔｐの４個の区分に区分する。区分の数が増減されてもよい。
【０１５１】
また、特殊再生速度エントリー２３２は、Ｓ＿ｔｐ＜×１．０、×１．０＜Ｓ＿ｔｐ＜＝×１０．０、×１０．０＜Ｓ＿ｔｐ＜＝×３０．０及び×３０．０＜Ｓ＿ｔｐの４個の区分に、それぞれ高品位代表画像Ｉ１ｉ、高品位代表画像Ｉ１ｉ、中品位代表画像Ｉ２ｉ及び低品位代表画像Ｉ３ｉを対応させる。
【０１５２】
特殊再生速度エントリー２３２によれば、特殊再生速度Ｓ＿ｔｐが遅くなるほど、選択される代表画像の品位が高くなり、選択される代表画像の精細さ及び解像度が高くなる。これにより、録画された映像から所望の映像シーンを容易に探すことができる。
【０１５３】
また、特殊再生速度エントリー２３２によれば、特殊再生速度Ｓ＿ｔｐが速くなるほど、選択される代表画像の品位が低くなり、選択される代表画像の精細さ及び解像度が低くなる。これにより、選択された代表画像を読み出す読み出し時間が短くなり、読みだした代表画像を復号するのに要する復号時間が短くなる。このため、表示装置１３に表示される映像フレームを生成するのに要する生成時間が短くなる。これにより、特殊再生された映像から所望の映像シーンを容易に探すことができる。
【０１５４】
遅い特殊再生速度Ｓ＿ｔｐで映像が特殊再生される場合は、特殊再生された映像から所望の映像シーンを探す際に表示装置１３に表示される映像の細部を確認することが望まれる。このため、遅い特殊再生速度Ｓ＿ｔｐで映像が特殊再生される場合は、選択される代表画像の品位が高くされる。一方、速い特殊再生速度Ｓ＿ｔｐで映像が特殊再生される場合は、録画された映像から所望の映像シーンを探す際に表示装置１３に表示される映像を途切れなく確認することが望まれる。このため、速い特殊再生速度Ｓ＿ｔｐで映像が特殊再生される場合は、選択される代表画像の品位が低くされ、表示装置１３に表示される映像フレームが更新される時間間隔が短くされる。特に、符号化圧縮された映像が特殊再生される場合は、表示装置１３に単位時間に表示される映像フレームの数が少ないため、表示装置１３に表示される映像フレームが更新される時間間隔を短くすることが強く望まれる。
【０１５５】
字幕が画面に占める割合に基づいて代表画像が選択されてもよい。この場合は、当該割合の閾値が変更されてもよい。表示装置１３に表示される字幕のフォントサイズに基づいて代表画像が選択されてもよい。
【０１５６】
１．１７  特殊再生が行われる場合の代表画像が表示される時間間隔
図１１は、Ｉピクチャから映像フレームが直接的に生成される場合、並びに実施の形態１の映像記録装置により高品位代表画像、中品位代表画像及び低品位代表画像から映像フレームが生成される場合について、Ｉピクチャ又は代表画像が表示される時間間隔を説明する図である。
【０１５７】
記録媒体ＲＭは、汎用のディスクフォーマットを有する。また、記録媒体ＲＭに記録される映像は、複雑なＨＥＶＣにより符号化されており、高い解像度を有する。このため、Ｉピクチャ１８２から映像フレームが直接的に生成される場合は、図１１に示されるように、１秒に１枚のＩピクチャ１８２から映像フレームを生成することができるにとどまる。したがって、×２倍速、×４倍速、×８倍速、×１６倍速及び×３２倍速の特殊再生速度で映像が特殊再生される場合は、図１１に示されるように、Ｉピクチャ１８２が表示される時間間隔は、それぞれ２秒、４秒、８秒、１６秒及び３２秒である。Ｉピクチャ１８２が表示される時間間隔が３２秒である場合は、その間に含まれる約５秒間の映像シーンを探すことが困難になる。
【０１５８】
以下では代表画像が表示される時間間隔の最小値は、各符号化圧縮単位ＥＣＵｉの長さに一致する０．５秒であるとする。
【０１５９】
映像記録再生装置１２により高品位代表画像Ｉ１ｉから映像フレームが生成される場合は、図１１に示されるように、１秒に２枚の高品位代表画像Ｉ１ｉから映像フレームを生成することができる。したがって、×２倍速、×４倍速、×８倍速、×１６倍速及び×３２倍速の特殊再生速度で映像が特殊再生される場合は、図１１に示されるように、高品位代表画像Ｉ１ｉが表示される時間間隔は、それぞれ１秒、２秒、４秒、８秒及び１６秒である。
【０１６０】
また、映像記録再生装置１２により中品位代表画像Ｉ２ｉから映像フレームが生成される場合は、図１１に示されるように、１秒に４枚の中品位代表画像Ｉ２ｉから映像フレームを生成することができる。したがって、×２倍速、×４倍速、×８倍速、×１６倍速及び×３２倍速の特殊再生速度で映像が特殊再生される場合は、図１１に示されるように、中品位代表画像Ｉ２ｉが表示される時間間隔は、それぞれ０．５秒、１秒、２秒、４秒及び８秒である。
【０１６１】
また、映像記録再生装置１２により低品位代表画像Ｉ３ｉから映像フレームが生成される場合は、図１１に示されるように、１秒あたり８枚の低品位代表画像Ｉ３ｉから映像フレームを生成することができる。したがって、×２倍速、×４倍速、×８倍速、×１６倍速及び×３２倍速の特殊再生速度で映像が特殊再生される場合は、図１１に示されるように、低品位代表画像Ｉ３ｉが表示される時間間隔は、それぞれ０．５秒、０．５秒、１秒、２秒及び４秒である。
【０１６２】
これらからは、映像記録再生装置１２により高品位代表画像Ｉ１ｉ、中品位代表画像Ｉ２ｉ又は低品位代表画像Ｉ３ｉから映像フレームが生成される場合は、Ｉピクチャ１８２から映像フレームが直接的に生成される場合と比較して、代表画像が表示される時間間隔が短くなることを理解することができる。特に、低品位代表画像Ｉ３ｉから映像フレームが生成される場合は、×３２倍速の特殊再生速度で映像が特殊再生される場合であっても、４秒間隔で代表画像を表示することができることを理解することができる。
【０１６３】
加えて、複数の高品位代表画像Ｉ１は、同じファイルサイズを有する。このため、映像記録再生装置１２により高品位代表画像Ｉ１ｉから映像フレームが生成される場合は、記録媒体ＲＭから高品位代表画像Ｉ１ｉを読み出すのに要する読み出し時間が一定になる。これにより、映像記録再生装置１２により高品位代表画像Ｉ１ｉから映像フレームが生成される場合は、高品位代表画像Ｉ１ｉが表示される時間間隔が均一になり、表示装置１３に表示される映像の視認性を向上することができる。中品位代表画像Ｉ２ｉ及び低品位代表画像Ｉ３ｉについても同様のことがいえる。
【０１６４】
１．１８  代表画像を生成する手順
図１２は、実施の形態１の映像記録再生装置が映像を記録する際の代表画像を生成する手順を図示するフローチャートである。
【０１６５】
図１２に示されるステップＳ１０１においては、映像の記録が終了したか否かが判定される。映像の記録が終了していないと判定された場合は、ステップＳ１０２からＳ１０８までが実行されてから再びステップＳ１０１が実行される。映像の記録が終了したと判定された場合は、代表画像の生成が終了する。これにより、映像の記録が終了するまでステップＳ１０２からＳ１０８までが繰り返し実行される。映像の記録は、例えば、ユーザーにより行われた記録終了操作を操作部１１が受け付けた場合に終了する。
【０１６６】
ステップＳ１０２においては、ストリーム制御部１１３が、チューナー部１１１により生成されたＡＶストリームに含まれる各符号化圧縮単位ＥＣＵｉをメモリ領域に一時的に記憶する。
【０１６７】
続くステップＳ１０３においては、ストリーム制御部１１３が、Ｉピクチャ１８２を抽出する。また、映像音声デコーダ部１１４が、抽出されたＩピクチャ１８２を復号する。
【０１６８】
続くステップＳ１０４においては、静止画エンコーダ部１１５が、復号されたＩピクチャを符号化し、付加前の代表画像ＰＩ１ｉ，ＰＩ２ｉ及びＰＩ３ｉ（図２参照）を生成する。
【０１６９】
続くステップＳ１０５にいては、生成された付加前の代表画像ＰＩ１ｉ，ＰＩ２ｉ及びＰＩ３ｉのファイルサイズがそれぞれ代表画像Ｉ１ｉ，Ｉ２ｉ及びＩ３ｉ（図２参照）のファイルサイズの目標値に近いか否かが判定される。例えば、付加前の代表画像ＰＩ１ｉ，ＰＩ２ｉ及びＰＩ３ｉのファイルサイズがそれぞれ代表画像Ｉ１ｉ，Ｉ２ｉ及びＩ３ｉのファイルサイズの目標値の０．７５倍以上１倍以下であるか否かが判定される。例えば、ファイルサイズの目標値が４ＭＢである場合は、ファイルサイズが３ＭＢ以上４ＭＢ以下であるか否かが判定される。０．７５倍という下限が他の下限に変更されてもよい。例えば、０．７５倍という下限が０．９倍という下限、０．５倍という下限等に変更されてもよい。
【０１７０】
付加前の代表画像ＰＩ１ｉ，ＰＩ２ｉ及びＰＩ３ｉのファイルサイズがそれぞれ代表画像Ｉ１ｉ，Ｉ２ｉ及びＩ３ｉのファイルサイズの目標値に近いと判定された場合は、ステップＳ１０６からＳ１０８までが実行される。付加前の代表画像ＰＩ１ｉ，ＰＩ２ｉ及びＰＩ３ｉのファイルサイズがそれぞれ代表画像Ｉ１ｉ，Ｉ２ｉ及びＩ３ｉのファイルサイズの目標値に近くないと判定された場合は、再びステップＳ１０４が実行される。再びステップＳ１０４が実行される場合は、再び生成される付加前の代表画像ＰＩ１ｉ，ＰＩ２ｉ及びＰＩ３ｉのファイルサイズがそれぞれ代表画像Ｉ１ｉ，Ｉ２ｉ及びＩ３ｉのファイルサイズの目標値に近づくように付加前の代表画像ＰＩ１ｉ，ＰＩ２ｉ及びＰＩ３ｉの解像度、圧縮率等が変更される。
【０１７１】
続くステップＳ１０６においては、付加前の代表画像ＰＩ１ｉ，ＰＩ２ｉ及びＰＩ３ｉのファイルの終端にダミーデータが付加され、それぞれ代表画像Ｉ１ｉ，Ｉ２ｉ及びＩ３ｉが生成される。代表画像Ｉ１ｉ，Ｉ２ｉ及びＩ３ｉは、それぞれ、目標のファイルサイズであるファイルサイズＦＳ１，ＦＳ２及びＦＳ３を有する。
【０１７２】
続くステップＳ１０７においては、代表画像生成制御部１２１が、代表画像Ｉ１ｉ，Ｉ２ｉ及びＩ３ｉの代表画像制御情報２０１を算出し、ＳＥＩ１９１を生成する。
【０１７３】
続くステップＳ１０８においては、代表画像生成制御部１２１が、メモリ領域に一時的に記憶された符号化圧縮単位ＥＣＵｉに生成したＳＥＩ１９１をマージする。また、記録再生ドライブ部１１２が、ＳＥＩ１９１がマージされた符号化圧縮単位ＥＣＵｉを記録媒体ＲＭにストリーム記録する。
【０１７４】
１．１９  代表画像を選択する手順
図１３は、実施の形態１の映像記録再生装置が映像を特殊再生する際の代表画像を選択する手順を図示するフローチャートである。
【０１７５】
図１３に示されるステップＳ１１１においては、映像が特殊再生されているか否かが判定される。映像が特殊再生されていると判定された場合は、ステップＳ１１２が実行される。映像が特殊再生されていないと判定された場合は、代表画像の選択が終了する。映像を特殊再生することができるか否かが、ＳＥＩ１９１に含まれる代表画像制御情報２０１の有無により決定されてもよい。
【０１７６】
ステップＳ１１２においては、映像の特殊再生が終了したか否かが判定される。映像の特殊再生が終了していないと判定された場合は、ステップＳ１１３からＳ１２２までが実行されてから再びステップＳ１１２が実行される。映像の特殊再生が終了したと判定された場合は、代表画像の選択が終了する。これにより、映像の特殊再生が終了するまでステップＳ１１３からＳ１２２までが繰り返し実行される。
【０１７７】
ステップＳ１１３においては、特殊再生位置制御部１２２が、特殊再生速度Ｓ＿ｔｐを取得する。
【０１７８】
続くステップＳ１１４においては、再生制御情報ファイル１４２に含まれるアクセスポイント管理テーブル１７４が参照され、次に再生すべきＧＯＰ１８１ｍが特定され、特定されたＧＯＰ１８１ｍの先頭位置へのシークが行われる。
【０１７９】
続くステップＳ１１５においては、ＧＯＰ１８１ｍの先頭位置に記録されている映像属性情報１８６からＳＥＩ１９１が読み出される。また、代表画像制御情報２０１から代表画像Ｉ１ｉ，Ｉ２ｉ及びＩ３ｉのピクチャ管理情報２１４が読み出される。
【０１８０】
続くステップＳ１１６においては、特殊再生速度Ｓ＿ｔｐが１倍速より遅いか否かが判定される。特殊再生速度Ｓ＿ｔｐが１倍速より遅いと判定された場合は、ステップＳ１１７が実行される。特殊再生速度Ｓ＿ｔｐが×１倍速より速いと判定された場合は、ステップＳ１１８が実行される。
【０１８１】
ステップＳ１１７においては、高品位代表画像Ｉ１ｉが読み出され、読み出された高品位代表画像Ｉ１ｉから映像フレームが生成される。
【０１８２】
ステップＳ１１８においては、特殊再生速度Ｓ＿ｔｐが×１倍速より速く×１０倍速以下であるか否かがさらに判定される。すなわち、低速の早送りが行われているか否かがさらに判定される。低速の早送りが行われていると判定された場合は、ステップＳ１１７が実行され、高品位代表画像Ｉ１ｉが読み出され、読み出された高品位代表画像Ｉ１ｉから映像フレームが生成される。低速の早送りが行われていないと判定された場合は、ステップＳ１１９が実行される。
【０１８３】
ステップＳ１１９においては、特殊再生速度Ｓ＿ｔｐが×１０倍速より速く×３０倍速以下であるか否かがさらに判定される。すなわち、中速の早送りが行われているか否かがさらに判定される。中速の早送りが行われていると判定された場合は、ステップＳ１２０が実行される。中速の早送りが行われていないと判定された場合は、ステップＳ１２１が実行される。
【０１８４】
ステップＳ１２０においては、中品位代表画像Ｉ２ｉが読み出され、読み出された中品位代表画像Ｉ２ｉから映像フレームが生成される。
【０１８５】
ステップＳ１２１においては、低品位代表画像Ｉ３ｉが読み出され、読み出された低品位代表画像Ｉ３ｉから映像フレームが生成される。
【０１８６】
ステップＳ１１７，Ｓ１２０及びＳ１２１において映像フレームが生成された後は、ステップＳ１２２が実行される。ステップＳ１２２においては、次のＧＯＰが読み込まれる。
【０１８７】
１．２０  実施の形態１の発明の効果
実施の形態１の発明によれば、映像が特殊再生される際に、同じファイルサイズを有する複数の代表画像Ｉ１、同じファイルサイズを有する複数の代表画像Ｉ２又は同じファイルサイズを有する複数の代表画像Ｉ３から表示装置１３に表示される映像フレームが生成される。このため、映像が特殊再生される際に、表示装置１３に表示される映像フレームが更新される間隔を一定にすることができる。
【０１８８】
また、実施の形態１の発明によれば、映像が特殊再生される際に、静止画圧縮方式により符号化された複数の代表画像Ｉ１，Ｉ２又はＩ３から表示装置１３に表示される映像フレームが生成される。このため、映像が特殊再生される際に、表示装置１３に表示される映像フレームを高速に更新することができる。
【０１８９】
また、実施の形態１の発明によれば、映像が特殊再生される際に表示装置１３に表示される映像の精彩さが、複数の代表画像Ｉ１，Ｉ２又はＩ３の解像度により決まる。このため、映像が特殊再生される際に表示装置１３に表示される映像の精彩さを、行われる特殊再生に適した精彩さにすることができる。
【０１９０】
これらにより、映像が特殊再生される際に表示装置１３に表示される映像の滑らかさ及び精彩さを、行われる特殊再生に適した滑らかさ及び精彩さにすることができる。
【０１９１】
また、本発明によれば、映像が記録される際に、記録される映像ストリームに含まれるユーザー独自領域ＵＳＡに複数の代表画像Ｉ１，Ｉ２及びＩ３が記録される。このため、独自のデータ形式により映像が記録されることに起因する不具合を避けることができる。例えば、Ｂｌｕ−ｒａｙ（登録商標）規格等に準拠する汎用のディスクフォーマットを有するディスクに映像を記録した場合でも不具合を避けることができる。
【０１９２】
なお、本発明は、その発明の範囲内において、実施の形態を適宜、変形、省略することが可能である。
【０１９３】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１９４】
ＰＳ  映像ストリーム、ＥＣＵ  符号化圧縮単位、ＵＳＡ  ユーザー独自領域、Ｉ１，Ｉ２，Ｉ３  代表画像、ＰＩ１，ＰＩ２，ＰＩ３  付加前の代表画像、ＤＤ１，ＤＤ２，ＤＤ３  ダミーデータ、１  映像記録再生システム、１２  映像記録再生装置、ＲＭ  記録媒体、１０１  システム制御部、１０２  メモリ部、１０３  デコーダブロック、１１１  チューナー部、１１２  記録再生ドライブ部、１１３  ストリーム制御部、１１４  映像音声デコーダ部、１１５  静止画エンコーダ部、１１６  静止画デコーダ部、１１７  デジタルインターフェース部、１２１  代表画像生成制御部、１２２  特殊再生位置制御部。
【図１】
2020198560.tif 000003
【図２】
2020198560.tif 000004
【図３】
2020198560.tif 000005
【図４】
2020198560.tif 000006
【図５】
2020198560.tif 000007
【図６】
2020198560.tif 000008
【図７】
2020198560.tif 000009
【図８】
2020198560.tif 000010
【図９】
2020198560.tif 000011
【図１０】
2020198560.tif 000012
【図１１】
2020198560.tif 000013
【図１２】
2020198560.tif 000014
【図１３】
2020198560.tif 000015